(57)【要約】【課題】簡易な操作により、定期的に発生する請求に対する継続的なクレジットカード払いの申込手続きを行うことを可能にする。【解決手段】支払者の端末装置２０は、請求書１０に印刷されているバーコード１１を読み取り、バーコードの情報をバーコード決済センター装置３０へ送信する。バーコード情報には、支払先の企業、サービスの利用者の情報が含まれる。バーコード決済センター装置３０は、端末装置２０から支払に利用するクレジットカードの情報と、継続カード払いの登録要求をさらに受信すると、収納機関の保有する企業システム５０へバーコード情報及びカード情報を通知する。企業システム５０は、以降の請求についてはクレジットカード払いによる収納を行なうため、通知されたカード情報に基づいてクレジットカードの売上データを生成し、出力する。【選択図】図１
2010026608.tif 000002
【特許請求の範囲】
【請求項１】
支払者の端末装置と、継続的なクレジットカード払いの登録を受け付ける受付装置と、収納企業の企業システムとをネットワークを介して接続してなる継続カード払い登録システムであって、
前記端末装置は、
支払対象を特定する情報と支払者を特定する情報とを少なくとも含む支払情報を示す画像を読み取る読取部と、
支払者が利用するクレジットカードを特定する情報を少なくとも含むカード情報と継続的なクレジットカード払いの登録指示とを入力する入力部と、
前記読取部によって読み取った画像により示される支払情報と、前記入力部によって入力されたカード情報とを前記受付装置に送信する通知部と、
前記入力部により継続的なクレジットカード払いの登録指示が入力された場合に、前記受付装置へ登録要求を送信する指示部と
を備え、
前記受付装置は、
前記支払情報と前記カード情報とを対応づけて記憶する受付装置記憶部と、
前記端末装置から支払情報及びカード情報を受信し、受信した当該支払情報及び当該カード情報を対応づけて前記受付装置記憶部に書き込む登録情報受信部と、
前記端末装置から登録要求を受信した場合に、前記登録情報受信部が書き込んだ前記支払情報及び前記カード情報を前記受付装置記憶部から読み出して前記企業システムへ送信する登録要求部と
を備え、
前記企業システムは、
前記支払情報と顧客情報とを対応付けて記憶する企業システム記憶部と、
前記受付装置から前記支払情報及び前記カード情報を受信し、受信した当該支払情報に対応する前記顧客情報に、受信した当該カード情報を前記企業システム記憶部に書き込む登録部と
を備える、
ことを特徴とする継続カード払い登録システム。
【請求項２】
前記ネットワークに接続され、クレジットカードの与信処理及び決済処理を行うカード会社装置をさらに備え、
前記支払情報は、支払金額の情報をさらに含み、
前記受付装置は、
受信した前記カード情報と、受信した前記支払情報により示される支払金額の情報とを前記カード会社装置へ通知する与信要求部をさらに備え、
前記登録要求部は、前記与信要求部により送信した情報に対応して、前記カード会社装置から与信処理が成功した旨の通知が返送され、かつ、前記端末装置から登録指示を受信した場合に、前記登録情報受信部が書き込んだ前記支払情報及び前記カード情報を前記受付装置記憶部から読み出して前記端末装置へ通知する、
ことを特徴とする請求項１に記載の継続カード払い登録システム。
【請求項３】
前記受付装置は、
受信した前記カード情報に含まれるカード番号と、受信した前記支払情報により示される支払金額とを少なくとも含むクレジットカードの売上データを生成し、前記カード会社装置へ出力する売上データ生成部をさらに備える、
ことを特徴とする請求項２に記載の継続カード払い登録システム。
【請求項４】
前記受付装置の代わりに、前記売上データ生成部を備えるクレジット収納装置をさらに備えることを特徴とする請求項３に記載の継続カード払い登録システム。
【請求項５】
前記端末装置は、
前記受付装置にアクセスし、前記カード情報の入力を指示するカード情報入力画面の画面データを当該受付装置から受信して前記表示部により表示させるとともに、継続カード払いを行うか否かの情報の入力を指示する継続カード払い指示画面の画面データを当該受付装置から受信して表示部に表示させる表示制御部をさらに備え、
前記入力部は、前記表示部により前記カード情報入力画面が表示されたときに、継続的なクレジットカード払いに使用するクレジットカードの情報を入力し、前記表示部により前記継続カード払い指示画面が表示されたときに、継続クレジットカード払いの登録指示を入力し、
前記受付装置は、
前記端末装置からのアクセスを受け、前記カード情報入力画面の画面データを当該端末装置に送信するとともに、前記継続カード払い指示画面の画面データを当該端末装置に送信する画面制御部をさらに備える、
ことを特徴とする請求項１から請求項４のいずれかの項に記載の継続カード払い登録システム。
【請求項６】
支払者の端末装置と、継続的なクレジットカード払いの登録を受け付ける受付装置と、収納企業の企業システムとをネットワークを介して接続してなる継続カード払い登録システムに用いられるコンピュータプログラムであって、
前記端末装置として用いられるコンピュータを、
当該端末装置の備える読取部によって読み取った画像で示される、支払対象を特定する情報と支払者を特定する情報とを少なくとも含む支払情報と、入力部によって入力された、支払者が利用するクレジットカードを特定する情報を少なくとも含むカード情報とを前記受付装置に送信する通知部、
前記入力部により継続的なクレジットカード払いの登録指示が入力された場合に、前記受付装置へ登録要求を送信する指示部
として動作させ、
前記受付装置として用いられるコンピュータを、
前記端末装置から支払情報及びカード情報を受信し、受信した当該支払情報及び当該カード情報を対応づけて当該受付装置の備える受付装置記憶部に書き込む登録情報受信部、
前記端末装置から登録要求を受信した場合に、前記登録情報受信部が書き込んだ前記支払情報及び前記カード情報を前記受付装置記憶部から読み出して前記企業システムへ送信する登録要求部
として動作させる、
ことを特徴とするコンピュータプログラム。
【発明の詳細な説明】
【技術分野】
【０００１】
本発明は、継続カード払い登録システム、及び、コンピュータプログラムに関する。
【背景技術】
【０００２】
従来、月々の公共料金等定期的に発生する請求等について、継続的なクレジットカード払いを申し込む場合、支払者は、クレジットカード払いの申込書を取り寄せ、必要事項の記入、押印の上、収納企業またはクレジットカード会社に提出していた。
【０００３】
一方、特許文献１には、利用者が事業者との契約に基づいて、その利用代金をクレジットカードで定期的に事業者に支払うため、事業者に対して支払用のクレジットカード情報を登録するシステムについて記載されている。特許文献１の技術では、端末装置に入力された事業者特定情報、契約特定情報、クレジットカード情報、クレジットカードの暗証番号を支払い用クレジットカード情報登録システムが受信し、当該登録システムがクレジットカード管理システムに問い合わせて、クレジットカードの有効性及び本人確認を実施し、確認が成功した場合に、事業者の契約管理システムへ契約特定番号とクレジットカード情報を送信する。これにより、事業者の契約管理システムに契約特定情報と関係づけてクレジットカード情報を登録し、登録後は該クレジットカードによる利用料金の支払いを可能としている。また、特許文献２では、公共料金・納税支払受付サーバが、支払者の端末からインターネットを介してクレジットカード情報及び支払内容情報を受信すると、専用回線を介してクレジット会社サーバに支払先への公共料金及び納税の振込みを依頼することが記載されている。
【特許文献１】特開２００４−８６５８０号公報
【特許文献２】特開２００１−３５０９３０号公報
【発明の開示】
【発明が解決しようとする課題】
【０００４】
収納企業では、定期的に発生する請求の不払や支払の遅れを防ぐため、継続的なクレジットカード払いの利用を促進したいとの要望がある。しかし、上述したように従来、支払者が継続的なクレジットカード払いを登録する場合、申込書の入手、記入、押印及び提出といった手続きを行なったり、あるいは、自身のパーソナルコンピュータなどからインターネットを利用して支払い方法の変更・登録サイトにアクセスし、必要な情報を全て手で入力するなどして手続きを行なったりしなければならず、手間がかかり、煩わしいものであった。加えて、書類による登録の場合は、記入漏れや記載ミスなどによる手戻りが発生することがあり、インターネットを利用した登録の場合は、支払者が入力する情報が多いために入力ミスが発生しやすく、再入力の手間がかかってしまうという問題もあった。これらは、各収納企業にとって、継続的なクレジットカード払いへの移行を促進する妨げとなっている。
【０００５】
本発明は、上記の事情に鑑みてなされたものであり、簡易な操作により継続的なクレジットカード払いの申込手続きを行うことを可能にして、継続的なクレジットカード払いの利用促進を支援することができる継続カード払い登録システム、及び、コンピュータプログラムを提供することを目的とする。
【課題を解決するための手段】
【０００６】
上記課題を解決するため、本発明は、支払者の端末装置と、継続的なクレジットカード払いの登録を受け付ける受付装置と、収納企業の企業システムとをネットワークを介して接続してなる継続カード払い登録システムであって、前記端末装置は、支払対象を特定する情報と支払者を特定する情報とを少なくとも含む支払情報を示す画像を読み取る読取部と、支払者が利用するクレジットカードを特定する情報を少なくとも含むカード情報と継続的なクレジットカード払いの登録指示とを入力する入力部と、前記読取部によって読み取った画像により示される支払情報と、前記入力部によって入力されたカード情報とを前記受付装置に送信する通知部と、前記入力部により継続的なクレジットカード払いの登録指示が入力された場合に、前記受付装置へ登録要求を送信する指示部とを備え、前記受付装置は、前記支払情報と前記カード情報とを対応づけて記憶する受付装置記憶部と、前記端末装置から支払情報及びカード情報を受信し、受信した当該支払情報及び当該カード情報を対応づけて前記受付装置記憶部に書き込む登録情報受信部と、前記端末装置から登録要求を受信した場合に、前記登録情報受信部が書き込んだ前記支払情報及び前記カード情報を前記受付装置記憶部から読み出して前記企業システムへ送信する登録要求部とを備え、前記企業システムは、前記支払情報と顧客情報とを対応付けて記憶する企業システム記憶部と、前記受付装置から前記支払情報及び前記カード情報を受信し、受信した当該支払情報に対応する前記顧客情報に、受信した当該カード情報を前記企業システム記憶部に書き込む登録部とを備える、ことを特徴とする継続カード払い登録システムである。
【０００７】
また、本発明は、上述する継続カード払い登録システムにおいて、前記ネットワークに接続され、クレジットカードの与信処理及び決済処理を行うカード会社装置をさらに備え、前記支払情報は、支払金額の情報をさらに含み、前記受付装置は、受信した前記カード情報と、受信した前記支払情報により示される支払金額の情報とを前記カード会社装置へ通知する与信要求部をさらに備え、前記登録要求部は、前記与信要求部により送信した情報に対応して、前記カード会社装置から与信処理が成功した旨の通知が返送され、かつ、前記端末装置から登録指示を受信した場合に、前記登録情報受信部が書き込んだ前記支払情報及び前記カード情報を前記受付装置記憶部から読み出して前記端末装置へ通知する、ことを特徴とする。
【０００８】
また、本発明は、上述する継続カード払い登録システムにおいて、前記受付装置は、受信した前記カード情報に含まれるカード番号と、受信した前記支払情報により示される支払金額とを少なくとも含むクレジットカードの売上データを生成し、前記カード会社装置へ出力する売上データ生成部をさらに備える、ことを特徴とする。
【０００９】
また、本発明は、上述する継続カード払い登録システムにおいて、前記受付装置の代わりに、前記売上データ生成部を備えるクレジット収納装置をさらに備えることを特徴とする。
【００１０】
また、本発明は、上述する継続カード払い登録システムにおいて、前記端末装置は、前記受付装置にアクセスし、前記カード情報の入力を指示するカード情報入力画面の画面データを当該受付装置から受信して前記表示部により表示させるとともに、継続カード払いを行うか否かの情報の入力を指示する継続カード払い指示画面の画面データを当該受付装置から受信して表示部に表示させる表示制御部をさらに備え、前記入力部は、前記表示部により前記カード情報入力画面が表示されたときに、継続的なクレジットカード払いに使用するクレジットカードの情報を入力し、前記表示部により前記継続カード払い指示画面が表示されたときに、継続クレジットカード払いの登録指示を入力し、前記受付装置は、前記端末装置からのアクセスを受け、前記カード情報入力画面の画面データを当該端末装置に送信するとともに、前記継続カード払い指示画面の画面データを当該端末装置に送信する画面制御部をさらに備える、ことを特徴とする。
【００１１】
また、本発明は、支払者の端末装置と、継続的なクレジットカード払いの登録を受け付ける受付装置と、収納企業の企業システムとをネットワークを介して接続してなる継続カード払い登録システムに用いられるコンピュータプログラムであって、前記端末装置として用いられるコンピュータを、当該端末装置の備える読取部によって読み取った画像で示される、支払対象を特定する情報と支払者を特定する情報とを少なくとも含む支払情報と、入力部によって入力された、支払者が利用するクレジットカードを特定する情報を少なくとも含むカード情報とを前記受付装置に送信する通知部、前記入力部により継続的なクレジットカード払いの登録指示が入力された場合に、前記受付装置へ登録要求を送信する指示部として動作させ、前記受付装置として用いられるコンピュータを、前記端末装置から支払情報及びカード情報を受信し、受信した当該支払情報及び当該カード情報を対応づけて当該受付装置の備える受付装置記憶部に書き込む登録情報受信部、前記端末装置から登録要求を受信した場合に、前記登録情報受信部が書き込んだ前記支払情報及び前記カード情報を前記受付装置記憶部から読み出して前記企業システムへ送信する登録要求部として動作させる、ことを特徴とするコンピュータプログラムである。
【発明の効果】
【００１２】
本発明によれば、請求書等に印刷されたバーコードなどの画像を用いることにより、より簡易な操作で継続的なクレジットカード払いの申込を行うことができるとともに、情報の入力間違いも防ぐことができ、請求書払いの支払者を、クレジットカード払いに誘導することが容易になる。つまり、料金の支払者は、継続的なクレジットカード払いを登録する際に、申込書の入手、記入、押印及び提出といった煩雑な手続きを行なわなくともよく、記入漏れや記載ミスなどによる手戻りも発生しない。また、従来のインターネットを利用した登録のように支払者に多くの情報を入力させる必要がなく、よって、入力ミスも少なくなる。
【発明を実施するための最良の形態】
【００１３】
以下、図面を参照して本発明の実施の形態の例について説明する。
図１は、本発明の一実施の形態による継続カード払い登録システムの概要を示す図である。
まず、サービス料金の収納を行う収納機関は、バーコード１１が印刷された請求書１０を支払者へ郵送する（ステップＳ１）。請求書１０は、コンビニ収納で用いられる請求書であり、請求書１０に印刷されているバーコード１１が示すバーコード情報には、支払対象としての料金支払先企業の識別や、サービス利用者である支払者の識別、支払金額などの情報が含まれる。支払者は、毎月など定期的に発生するサービス料金の請求に、クレジットカードによる支払いを継続して行なうための申込を行う場合、自身の保有する携帯電話などの端末装置２０により請求書１０に印刷されているバーコード１１を読み取り、さらに、ボタン等の入力手段により支払いに使用するクレジットカードの情報を入力する（ステップＳ２）。端末装置２０は、読み取ったバーコード１１により示される、支払情報としてのバーコード情報と、入力されたクレジットカードの情報であるカード情報とを、ＡＳＰ（アプリケーションサービスプロバイダ）であるバーコード決済センターが保有するバーコード決済センター装置３０へ送信する（ステップＳ３）。
【００１４】
継続的なクレジットカード払い（以下、単に「継続カード払い」と記載）の受付装置としてのバーコード決済センター装置３０は、収納機関が提携しているクレジットカード会社のうち、支払者が支払に利用するクレジットカードを提供しているクレジットカード会社が保有するカード会社装置４０へオーソリを要求し、カード会社装置４０は、オーソリ（与信）処理を行った結果を返送する（ステップＳ４）。バーコード決済センター装置３０は、オーソリ処理が成功した場合、収納機関の保有する企業システム５０へ、バーコード情報、及び、カード情報と、継続カード払いの登録指示を通知する（ステップＳ５）。企業システム５０は、継続カード払いに使用するクレジットカードの登録処理を行う（ステップＳ６）。
【００１５】
図２は、端末装置２０に表示される画面の遷移を示す図である。
まず、支払者が、端末装置２０の料金支払機能のメニューを選択すると、初期画面Ｇ１がディスプレイに表示される。初期画面Ｇ１は、バーコードの読込み指示を表示するものである。支払者は、端末装置２０により請求書１０に印刷されているバーコード１１を撮影すると、端末装置２０は手続開始画面Ｇ２を表示する。手続開始画面Ｇ２は、バーコードの読み取りが完了した旨と、バーコード決済センター装置３０へのアクセスを行うための確認ボタンとを表示するものである。支払者が手続開始画面Ｇ２の確認ボタンを押すと、端末装置２０は、撮影したバーコード１１で示されるバーコード情報をバーコード決済センター装置３０へ送信する。
【００１６】
バーコード決済センター装置３０は、支払先、支払い金額等の支払い内容と、支払い内容の確認ボタンとを表示する支払内容表示画面Ｇ３の画面データを端末装置２０へ送信する。支払者が端末装置２０の表示する支払内容表示画面Ｇ３により支払内容を確認し、確認ボタンを押すと、確認ボタンが押された旨の情報がバーコード決済センター装置３０へ通知される。
【００１７】
バーコード決済センター装置３０は、請求書１０による請求について、モバイルバンキングによる支払、または、クレジットカードによる支払のどちらを行うかを選択させるボタンと、確認ボタンとを表示する支払方法選択画面Ｇ４の画面データを端末装置２０へ送信する。支払者が端末装置２０の表示する支払方法選択画面Ｇ４において、モバイルバンキングの支払を選択し、確認ボタンを押すと、携帯電話を利用したインターネット電子決済サービス（例えば、ペイジー（登録商標）等）による支払処理が開始される。一方、支払者が端末装置２０の表示する支払方法選択画面Ｇ４において、クレジットカードによる支払の依頼を選択し、確認ボタンを押すと、端末装置２０は、バーコード決済センター装置３０へクレジットカードによる支払が選択された旨を通知する。
【００１８】
バーコード決済センター装置３０は、支払に利用するクレジットカードのカード番号、有効期限、及び、名義人の入力フィールドと、確認ボタンとを表示するためのカード情報入力画面Ｇ５の画面データを送信する。支払者が端末装置２０の表示するカード情報入力画面Ｇ５において、カード番号、有効期限、及び、名義人を入力し、確認ボタンを押すと、端末装置２０は、入力されたカード番号、有効期限、及び、名義人を示すカード情報をバーコード決済センター装置３０へ送信する。
【００１９】
バーコード決済センター装置３０は、カード会社装置４０にカード情報を送信してオーソリを依頼し、オーソリが成功すると、クレジットカード払いの手続きが完了した旨と、次回以降に発生する請求に継続カード払いを利用するか否かを選択するボタンと、確認ボタンとを表示するための継続カード払い指示画面Ｇ６の画面データを送信する。支払者が端末装置２０の表示する継続カード払い指示画面Ｇ６において、継続カード払いを利用する旨のボタンを選択し、確認ボタンを押すと、端末装置２０は、継続カード払いの登録要求をバーコード決済センター装置３０へ送信する。
【００２０】
バーコード決済センター装置３０は、継続カード払いの登録を受付けた旨と、登録を受付けたカード番号とを示す登録受付画面Ｇ７の画面データを端末装置２０へ送信する。端末装置２０は、登録受付画面Ｇ７を表示し、支払者はこれにより、継続カード払い登録が受付けられた旨を認識する。さらに、バーコード決済センター装置３０は、継続カード払いの登録要求と、端末装置２０から受信したバーコード情報及びカード情報とを企業システム５０へ送信する。
【００２１】
図３は、本発明の一実施の形態による継続カード払い登録システムの構成を示す図であり、本発明と関係する機能ブロックのみ抽出して示してある。
端末装置２０は、例えば、携帯電話等のコンピュータ端末により実現され、通信部２１、入力部２２、記憶部２３、表示部２４、読取部２５、及び、情報処理部２６を備える。通信部２１は、携帯電話網、インターネット網などからなるネットワーク６０を介して情報を送受信する。入力部２２は、ボタンなどであり、支払者の操作による情報の入力を受ける。記憶部２３は各種データを記憶する。表示部２４は、ＬＣＤ（Liquid Crystal Display）などのディスプレイである。読取部２５は、バーコードリーダや、カメラなどであり、バーコード１１を読み取る。
【００２２】
情報処理部２６は、表示制御部２６１、通知部２６２、及び、指示部２６３を備える。表示制御部２６１は、画面データを表示部２４へ表示させる。通知部２６２は、読取部２５によって読み取ったバーコード１１により示されるバーコード情報（支払情報）と、入力部２２によって入力されたカード情報とをバーコード決済センター装置３０に通知する。指示部２６３は、入力部２２により継続カード払いの登録指示が入力された場合に、バーコード決済センター装置３０へ継続カード払いの登録要求を送信する。
なお、端末装置２０が携帯電話である場合、さらに、受話器及び送話器、ならびに、これらを制御する音声処理部（図示せず）をさらに備える。
【００２３】
バーコード決済センター装置３０は、例えば、１または複数台のサーバで構成することができ、通信部３１、記憶部３２（受付装置記憶部）、及び、情報処理部３３を備える。
通信部３１は、ネットワーク６０、ネットワーク６１を介して情報を送受信する。ネットワーク６１は、クレジット情報照会サービス（例えば、CAFIS（Credit And Finance Information Switching system）（登録商標））のネットワークである。記憶部３２は、支払先の企業に関する情報、アクセス先となるクレジットカード会社の情報、継続カード支払い対象となる支払先や使用するカード情報などの各種情報を記憶する。情報処理部３３は、記憶部３２への情報の書き込みや読み出し、他装置への情報の出力を行う。
【００２４】
情報処理部３３は、登録情報受信部３３１、画面制御部３３２、与信要求部３３３、登録要求部３３４、売上データ生成部３３５を備える。登録情報受信部３３１は、端末装置２０からバーコード情報及びカード情報を受信する。画面制御部３３２は、端末装置２０へ表示すべき画面データを送信する。与信要求部３３３は、カード情報と、支払い金額の情報をカード会社装置４０へ通知し、与信処理を要求する。登録要求部３３４は、端末装置２０から継続カード払いの登録指示を受信した場合に、与信処理が正常であれば、登録情報受信部３３１が受信した支払情報及びカード情報を企業システム５０へ送信する。売上データ生成部３３５は、請求書１０により請求した料金の支払に使用されたクレジットカード払いの売上げデータを生成する。
【００２５】
カード会社装置４０は、例えば、１または複数台のサーバで構成することができ、通信部４１、記憶部４２、与信処理部４３を備える。通信部４１は、ネットワーク６１を介して情報を送受信する。記憶部４２は、クレジットカードのカード情報、加盟店番号、引落口座などを示す会員マスタや、クレジットカードの有効期限、名義人、カードが有効であるか否か、与信限度枠、現在の利用額、売上げデータなど、クレジットカードの正当性や取引に関する情報を記憶する。与信処理部４３は、記憶部４２内に記憶されている情報に基づいて、与信（オーソリ）処理、すなわち、カード情報が正しいか否か、カードが有効であるか否か、与信限度枠を超えていないか否かを確認し、与信限度枠内において支払金額を押さえる処理を行う。
【００２６】
企業システム５０は、例えば、１または複数台のサーバで構成することができ、通信部５１、記憶部５２（企業システム記憶部）、情報処理部５３を備える。通信部５１は、ネットワーク６０を介して情報を送受信する。記憶部５２は、顧客に関する情報、請求に関する情報、継続カード払いに関する情報などの各種情報を記憶する。情報処理部５３は、情報の記憶部５２への書き込みや読み出しを行い、消込部５３１、登録部５３２、及び、売上データ生成部５３３を備える。消込部５３１は、クレジットカードによる支払が行なわれたときに、請求の消し込み処理を行う。登録部５３２は、継続カード払いのカード情報を記憶部５２へ登録する。売上データ生成部５３３は、記憶部５２内の情報と、入力された各顧客への請求金額とに基づいて、継続カード払いの売上げデータを生成する。
【００２７】
図４は、各装置に記憶される情報を示す。
バーコード決済センター装置３０の記憶部３２は、企業情報マスタ３２１、送信先カード会社情報３２２、及び、収納情報３２３を記憶する。
企業情報マスタ３２１は、支払先企業に関する情報を示し、企業を識別する企業コード及びメーカーコードと、端末装置２０へ表示させるために使用する当該企業の企業名、支払対象のサービス名などを示す請求内容の情報を含む。
【００２８】
送信先カード会社情報３２２は、顧客へサービスを提供している各企業について支払に使用可能なクレジットカードの情報を示し、支払先企業の企業コード、クレジットカードのカード番号の範囲、当該カード番号の範囲のクレジットカードがどこのクレジットカード会社のものであるかを特定するクレジット企業コード、クレジットカード会社のカード会社装置へアクセスするために、クレジット情報照会サービスのネットワーク６１において使用される接続会社コードなどの情報を含む。クレジットカードのカード番号の範囲は、会員番号（from）〜会員番号（to）により示される。
【００２９】
収納情報３２３は、クレジットカード払いの受付を行った際に生成され、企業コード、バーコード情報、カード情報、クレジット企業コード、継続カード払いの登録有無、登録日時の情報を含む。バーコード情報は、バーコード１１が示す情報と同じであり、企業コードを示すメーカーコード、支払者の顧客コード等を示す自由使用覧、再発行区分、支払期限日、印紙フラグ、支払金額、チェックデジットの情報を示す。また、カード情報は、クレジットカードのカード番号及び有効期限、支払回数や支払方法を示す支払区分の情報が含まれる。
【００３０】
カード会社装置４０の記憶部４２は、会員マスタ４２１を記憶する。会員マスタ４２１は、カード情報、加盟店番号、引落口座の情報を含む。カード情報は、収納情報３２３内のカード情報と同じデータ構成である。加盟店番号は、クレジットカード会社に加盟している収納企業の番号を示す。
【００３１】
企業システム５０の記憶部５２は、顧客情報マスタ５２１、請求情報マスタ５２２、カード登録情報マスタ５２３などのマスタデータを記憶する。
顧客情報マスタ５２１は、顧客に関する情報を示し、顧客を特定する顧客コード、当該顧客の住所・氏名、当該顧客の属性、当該顧客との契約に関する情報などを含む。
請求情報マスタ５２２は、顧客への請求に関する情報を示し、顧客コード、請求書１０による請求金額及び請求内容、収納機関名、請求書１０に印刷したバーコード１１の内容を示すバーコード情報を含む。バーコード情報は、収納情報３２３内のバーコード情報と同じデータ構成である。
カード登録情報マスタ５２３は、継続カード払いに関する情報を示し、顧客コード、当該顧客が継続カード払いに使用するクレジットカードのカード番号、継続カード払いの登録日時の情報を含む。カード情報は、収納情報３２３内のカード情報と同じデータ構成である。
【００３２】
図５は、継続カード払い登録システムの処理の流れを示す図である。
まず、収納企業は、支払者へ請求書１０を郵送する（ステップＳ１０１）。支払者は、郵送された請求書１０を確認し（ステップＳ１０２）、クレジットカードによる支払を行なう場合、支払者は端末装置２０の入力部２２により料金支払機能のメニューを選択する。これにより、端末装置２０の表示制御部２６１は、記憶部２３から初期画面Ｇ１の画面データを読み出して表示部２４へ表示させる。
【００３３】
支払者が請求書１０に印刷されているバーコード１１を読取部２５により撮影すると、表示制御部２６１は、記憶部２３から手続開始画面Ｇ２の画面データを読み出して表示部２４へ表示させる（ステップＳ１０３）。支払者が入力部２２により手続開始画面Ｇ２の確認ボタンを押下すると、通信部２１は、予め記憶部２３に記憶されているか、または、端末装置２０に入力された支払サイトのＵＲＬを用いてバーコード決済センター装置３０へアクセスを行い、通知部２６２は、撮影されたバーコード１１により示されるバーコード情報を送信する（ステップＳ１０４）。バーコード情報には、メーカーコード（企業コード）、顧客コード、再発行区分、支払期限日、印紙フラグ、支払金額、チェックデジットの情報が含まれる。
【００３４】
バーコード決済センター装置３０の登録情報受信部３３１は、バーコード情報を受信すると、正当性の確認を行う。具体的には、受信したバーコード情報内のメーカーコードに設定されている企業コードが企業情報マスタ３２１に登録されているか、バーコード情報内のチェックデジットが合っているか、バーコード情報内の各項目の属性（数字等）が正しいか、また、それら各項目の記述形式が正しいか（例えば、支払期限日がＹＹＹＹＭＭＤＤの形式で記述されているか等）により正当性を確認する。そして、正当性が確認されると、受信したバーコード情報内のメーカーコードにより示される企業コードと、受信したバーコード情報と、継続登録無を示す継続登録有無情報と、現在の日時を示す登録日時の情報とからなる収納情報３２３を生成して記憶部３２に書き込む（ステップＳ１０５）。バーコード決済センター装置３０の画面制御部３３２は、受信したバーコード情報で示される企業コードをキーとして企業情報マスタ３２１を検索し、企業名及び請求内容を読み出す。画面制御部３３２は、読み出した企業名及び請求内容を表示するための支払内容表示画面Ｇ３の画面データを生成して端末装置２０へ送信する（ステップＳ１０６）。
【００３５】
端末装置２０の表示制御部２６１は、受信した画面データを表示部２４へ表示させる。支払者は、表示部２４に表示されている支払内容表示画面Ｇ３により企業名（お支払先）及び請求内容（お支払金額）を確認すると、入力部２２により支払内容表示画面Ｇ３の確認ボタンを押下する。これにより、端末装置２０の通知部２６２は、支払内容確認が入力された旨の通知をバーコード決済センター装置３０へ送信する（ステップＳ１０７）。
【００３６】
バーコード決済センター装置３０の画面制御部３３２は、支払内容確認が入力された旨の通知を受信すると、支払方法選択画面Ｇ４の画面データを端末装置２０へ送信する（ステップＳ１０８）。端末装置２０の表示制御部２６１は、受信した画面データを表示部２４へ表示させる。支払者は、表示部２４に表示されている支払方法選択画面Ｇ４により利用可能な支払方法を確認すると、その中から、請求書１０により請求された金額を支払うために利用する支払方法の選択を入力部２２により入力し、確認ボタンを押下する。ここでは、クレジットカードによる支払が選択されたものとする。通知部２６２は、選択された支払方法をバーコード決済センター装置３０へ送信する（ステップＳ１０９）。
【００３７】
バーコード決済センター装置３０の画面制御部３３２は、端末装置２０から受信した支払方法の情報がクレジットカード払いである場合、カード情報入力画面Ｇ５の画面データを端末装置２０へ送信する（ステップＳ１１０）。端末装置２０の表示制御部２６１は、受信した画面データを表示部２４へ表示させる。支払者は、入力部２２により、表示部２４に表示されているカード情報入力画面Ｇ５の入力フィールドに、カード番号、有効期限、及び、名義人の情報を入力し、確認ボタンを押下する。これにより、端末装置２０の通知部２６２は、入力されたカード番号、有効期限、及び、名義人情報を示すカード情報をバーコード決済センター装置３０へ送信する（ステップＳ１１１）。
【００３８】
バーコード決済センター装置３０の登録情報受信部３３１は、受信したカード情報を、ステップＳ１０５において記憶部３２に書き込んだ収納情報３２３に追加する。続いて与信要求部３３３は、企業コードに対応し、かつ、カード情報が会員番号の範囲に含まれている送信先カード会社情報３２２のレコードからクレジット企業コード及び接続会社コードを読み出す。与信要求部３３３は、ステップＳ１０５において記憶部３２に書き込まれた収納情報３２３に、読み出したクレジット企業コードを追加する。通信部３１は、与信要求部３３３が読み出した接続会社コードを用いてカード会社装置４０へアクセスし、与信要求部３３３は、受信したカード情報と、ステップＳ１０５において受信し、記憶部３２に書き込まれた収納情報３２３のバーコード情報に含まれる支払金額とを設定したオーソリ要求を送信する（ステップＳ１１２）。
【００３９】
カード会社装置４０の与信処理部４３は、通信部４１を介してオーソリ要求を受信すると、記憶部４２を参照し、オーソリ要求に設定されているカード情報が会員マスタ４２１に登録されているか、有効期限が満了していないか、カード情報で示されるカード番号に対応してクレジットカードが無効である情報が登録されていないか、受信した支払金額と現在の利用額との合計が与信限度枠を超えていないか、などによりクレジットカードの正当性を判断する。与信処理部４３は、クレジットカードが正当であると判断した場合に、記憶部４２に記憶している現在の利用額を、支払金額を加算した額に書き換える（ステップＳ１１３）。与信処理部４３は、与信チェックの結果を示すオーソリ結果通知をバーコード決済センター装置３０へ返送する。
【００４０】
カード会社装置４０の与信処理部４３は、オーソリ結果通知を受信する（ステップＳ１１４）。バーコード決済センター装置３０の画面制御部３３２は、カード会社装置４０から受信したオーソリ結果通知が与信処理成功を示している場合、クレジットカード払いの手続が完了した旨と、次回以降に発生する請求に継続カード払いを利用するか否かを選択させるボタンを表示するための継続カード払い指示画面Ｇ６の画面データを端末装置２０へ送信する（ステップＳ１１５）。
【００４１】
端末装置２０の表示制御部２６１は、受信した画面データを表示部２４へ表示させる。支払者は、表示部２４に表示されている継続カード払い指示画面Ｇ６によりクレジットカード払いの手続が完了した旨を確認する。支払者は、継続カード払いを利用するか（はい）、利用しないか（いいえ）のいずれかに対応したボタンを選択し、確認ボタンを押す。これにより、端末装置２０の指示部２６３は、継続カード払いを利用する（はい）が選択されたか、利用しない（いいえ）が選択されたかの選択結果をバーコード決済センター装置３０へ送信する（ステップＳ１１６）。
【００４２】
バーコード決済センター装置３０の登録情報受信部３３１は、継続カード払いの利用有無を選択した結果を受信する。受信した結果が、継続カード払いを利用しない旨が選択されたことを示している場合（ステップＳ１１７：継続なし）、ステップＳ１０５において記憶部３２に書き込んだ収納情報３２３からバーコード情報を読み出し、読み出したバーコード情報と、クレジットカード払いを示す支払方法の情報とを示す収納結果情報を、企業コードにより特定される企業システム５０へ送信する。
【００４３】
企業システム５０の消込部５３１は、収納結果情報に設定されているバーコード情報が記憶部５２内の請求情報マスタ５２２に登録されていることを確認すると、この登録されているバーコード情報に対応させて、支払が完了した旨の情報を記憶部５２に書き込み、請求情報の消込みを行なう（ステップＳ１１８）。
バーコード決済センター装置３０の売上データ生成部３３５は、消し込み処理直後に、あるいは、所定の売上げ計上日時に、記憶部３２に記憶されている収納情報３２３を読み出して、加盟店番号（企業コード）、カード情報、売上金額（バーコード情報の支払金額）、売上年月日の情報を含む売上データを生成する。売上データは記録媒体に記録された後、クレジットカード会社へ渡され、カード会社装置４０に読み込まれるか、ネットワーク６１を介してカード会社装置４０へ送信される。
【００４４】
一方、継続カード払いの利用有無を選択した結果が、継続カード払いを利用する旨が選択されたことを示している場合（ステップＳ１１７：継続あり）、登録情報受信部３３１は、ステップＳ１０５において記憶部３２に書き込んだ収納情報３２３内の継続登録有無情報を、継続登録有を示す情報に書き換える。さらに、画面制御部３３２は、継続カード払いの手続きを受付けた旨と、受付けたカード番号とを表示するための登録受付画面Ｇ７を端末装置２０へ送信する。端末装置２０の表示制御部２６１は、受信した画面データを表示部２４へ表示させる。登録要求部３３４は、ステップＳ１０５において記憶部３２に書き込んだ収納情報３２３からバーコード情報及びカード情報を読み出し、読み出したバーコード情報及びカード情報と、クレジットカード払いを示す支払方法の情報とを示す収納結果情報と、継続カード払いの登録要求を企業システム５０に送信する（ステップＳ１１８）。
【００４５】
企業システム５０の消込部５３１は、収納結果情報に設定されているバーコード情報が記憶部５２内の請求情報マスタ５２２に登録されていることを確認すると、この登録されているバーコード情報に対応させて、支払が完了した旨の情報を記憶部５２に書き込み、請求情報の消込みを行なう。さらに、登録部５３２は、収納結果情報に設定されているバーコード情報で示される顧客コードが顧客情報マスタ５２１に登録されていることを確認すると、当該顧客コードと、受信したカード情報と、登録日時の情報とからなるカード登録情報マスタ５２３を登録する（ステップＳ１１９）。登録部５３２は、登録が完了すると、バーコード決済センター装置３０へ登録完了を通知する。
なお、収納結果情報の送信は、継続カード払いの利用有無を選択した結果を受信した直後に都度行なうことでもよく、１日の中で予め決められた時間に定期的に、前回収納結果情報を送信した以降に継続カード払いの利用有無を選択した結果を受信したものについてまとめて行なうことでもよい。
【００４６】
企業システム５０に、各顧客の請求金額が入力されると、売上データ生成部５３３は、請求が発生している顧客の顧客コードをキーにして、記憶部５２に記憶されているカード登録情報マスタ５２３を読出し、当該収納企業を特定する加盟店番号、カード情報、売上金額（請求金額）、売上年月日の情報からなる売上データを生成する。売上データは記録媒体に記録された後、クレジットカード会社へ渡され、カード会社装置４０に読み込まれるか、ネットワーク６１を介してカード会社装置４０へ送信される。
【００４７】
なお、ネットワーク６１上に、アプリケーションサービスプロバイダが保有するクレジット収納装置をさらに設け、当該クレジット収納装置に上述したバーコード決済センター装置３０において実行するクレジットカードサービスに関する一部の処理、例えば、与信要求部３３３、売上データ生成部３３５の全てまたは任意の一部の処理を実行させることでもよい。
【００４８】
また、バーコードは２次元バーコードであってもよく、バーコードの代わりに、バーコード情報（支払情報）に相当するデータを図形で表現した他の画像であってもよく、文字を直接読み取ることでもよい。
また、上記ではバーコード情報が示す支払対象を支払先の企業としているが、例えば、「ＸＸ会社のＸＸ使用料」などのように対象商品・サービスまでを特定するものであってもよい。また、バーコード決済センター装置３０の記憶部３２に企業コードに対応付けて対象商品・サービスの情報を記憶しておき、ステップＳ１１８において、収納結果情報に対象商品・サービスの情報をさらに付加して企業システム５０に送信してもよい。
【００４９】
上記実施形態によれば、料金の支払者は、継続カード払いの書類の記入や押印などの煩雑な手続きを行わなくとも、継続カード払いを申込むことができ、印鑑の相違や記載ミス等による手戻りも発生しない。また、請求書に印刷されたバーコードを用いることにより、より簡易な操作で継続カード払いの申込を行い、情報の入力間違いも防ぐことができる。このように、継続カード払いの手続きを簡易に行なうことができるため、請求書払いの支払者を、継続カード払いに誘導することが可能となる。
【００５０】
また、支払者が端末装置により読込むバーコードとして、請求書に印刷されているバーコードを利用することにより、請求書払の支払をクレジットカードで行なったユーザについて、継続カード払いへの移行を効果的に促進することができ、また、請求書払いのためにバーコード決済センター装置に登録されている情報を利用して継続カード払いの申込を受けることができる。
【００５１】
また、収納企業の企業システムでは、継続カード払い受付のためのサイトを構築する必要がなく、従来継続カード払いの書類に基づいてマニュアルにより入力していた継続カード払いの情報を、ネットワークを介して受信して登録するための受け口を作成するのみの軽微の機能追加だけでよい。加えて、バーコード決済センター装置において各収納企業に対する継続カード払い受付のインタフェースを提供するため、支払者は統一したインタフェースにより異なる収納機関への継続カード払いを簡易に申込むことができ、複数の収納機関への継続カード払い申込を促進することができる。
【００５２】
なお、上述の端末装置２０、バーコード決済センター装置３０、カード会社装置４０、企業システム５０は、内部にコンピュータシステムを有している。そして、端末装置２０の情報処理部２６、バーコード決済センター装置３０の情報処理部３３、カード会社装置４０の与信処理部４３、ならびに、企業システム５０の情報処理部５３の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００５３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５４】
なお、本発明は、上記において説明した実施形態に限定されるものではなく、その主旨を逸脱しない範囲において種々変更可能であり、それらも本発明の範囲内に包含されるものであることは言うまでもない。
【図面の簡単な説明】
【００５５】
【図１】本発明の一実施形態による継続カード払い登録システムの動作概要を示す図である。
【図２】同実施形態による継続カード払い登録システムにおける端末装置に表示される画面の遷移を示す図である。
【図３】同実施形態による継続カード払い登録システムの構成を示すブロック図である。
【図４】同実施形態による継続カード払い登録システムに記憶される情報を示す図である。
【図５】同実施形態による継続カード払い登録システムにおける処理の流れを示す図である。
【符号の説明】
【００５６】
１０…請求書
１１…バーコード
２０…端末装置
２１…通信部
２２…入力部
２３…記憶部
２４…表示部
２５…読取部
２６…情報処理部
２６１…表示制御部
２６２…通知部
２６３…指示部
３０…バーコード決済センター装置（受付装置）
３１…通信部
３２…記憶部
３３…情報処理部
３３１…登録情報受信部
３３２…画面制御部
３３３…与信要求部
３３４…登録要求部
３３５…売上データ生成部
４０…カード会社装置
４１…通信部
４２…記憶部（カード会社装置記憶部）
４３…与信処理部
５０…企業システム
５１…通信部
５２…記憶部（企業システム記憶部）
５３…情報処理部
５３１…消込部
５３２…登録部
５３３…売上データ生成部
６０、６１…ネットワーク
【図１】
2010026608.tif 000003
【図２】
2010026608.tif 000004
【図３】
2010026608.tif 000005
【図４】
2010026608.tif 000006
【図５】
2010026608.tif 000007